(57)【要約】【課題】受信状態の悪化時に、ブロックノイズや爆音が現れる前にこれらを静止また停止させて、ユーザーに不快感を与えることのないデジタルテレビ放送受信機を提供する。【解決手段】ＲＦ／ＩＦ処理部３と、復調／分離処理部４と、デコーダ部５と、を備える受信機１において、復調／分離処理部４内から出力されるエラー信号ＥＲに基づいて、デコーダ部５から送出される映像／音声／データ信号を静止または停止させるためのフリーズ制御を行うフリーズ制御手段６を設ける。【選択図】      図１
2004208066.tif 000002
【特許請求の範囲】
【請求項１】
デジタルテレビ放送波を入力信号とするＲＦ／ＩＦ処理部と、該ＲＦ／ＩＦ処理部からの出力を復調し分離する復調／分離処理部と、該復調／分離処理部からの出力を復号処理するデコーダ部と、を備えるデジタルテレビ放送受信機において、
前記入力信号にエラーが含まれるときに、前記復調／分離処理部または前記デコーダ部から出力されるエラー信号、または自ら検出したエラー信号に基づいて、前記デコーダ部から送出される映像信号および音声信号あるいはデータ信号のうちの少なくとも１つの信号を静止または停止させるためのフリーズ制御を行うフリーズ制御手段をさらに含むことを特徴とするデジタルテレビ放送受信機。
【請求項２】
前記フリーズ制御手段は、所定単位当たりの前記エラー信号の発生回数に基づいて、前記フリーズ制御を実行することを特徴とする請求項１に記載のデジタルテレビ放送受信機。
【請求項３】
前記フリーズ制御手段は、前記復調／分離処理部内における復調処理後の信号を、前記映像信号、音声信号およびデータ信号に区分して各該信号毎にそれぞれ前記フリーズ制御を実行することを特徴とする請求項２に記載のデジタルテレビ放送受信機。
【請求項４】
前記フリーズ制御手段は、前記復調／分離処理部内における分離処理後の前記映像信号、音声信号およびデータ信号毎にそれぞれ、前記フリーズ制御を実行することを特徴とする請求項２に記載のデジタルテレビ放送受信機。
【請求項５】
前記フリーズ制御手段は、前記入力信号が複数の階層から構成されるとき、前記復調／分離処理部内における復調処理後の信号を、各該階層毎に区分してそれぞれに対して前記フリーズ制御を実行することを特徴とする請求項２に記載のデジタルテレビ放送受信機。
【請求項６】
前記フリーズ制御手段は、前記入力信号が一連のパケットから構成されるとき、前記所定単位を規定するために、順次到来するそのパケットの数をカウントするパケットカウンターを有することを特徴とする請求項２〜５のいずれか一項に記載のデジタルテレビ放送受信機。
【請求項７】
前記フリーズ制御手段は、前記入力信号が一連のパケットから構成されるとき、該パケット毎に前記エラー信号の有無を検出して、該エラー信号の数をカウントするエラーカウンターを有することを特徴とする請求項２〜６のいずれか一項に記載のデジタルテレビ放送受信機。
【請求項８】
前記フリーズ制御手段は、前記パケットカウンターとして、前記フリーズ制御がオンであるときと、オフであるときと、にそれぞれ対応させた、オン時パケットカウンターおよびオフ時パケットカウンターとを有することを特徴とする請求項６に記載のデジタルテレビ放送受信機。
【請求項９】
前記フリーズ制御手段は、前記エラーカウンターとして、前記フリーズ制御がオンであるときと、オフであるときと、にそれぞれ対応させた、オン時エラーカウンターおよびオフ時エラーカウンターとを有することを特徴とする請求項６に記載のデジタルテレビ放送受信機。
【請求項１０】
前記パケットカウンターは、そのカウント値がある一定値を超えたときにカウンターのクリアを行い、次に到来するパケットのカウントを新たに開始することを特徴とする請求項６または８に記載のデジタルテレビ放送受信機。
【請求項１１】
前記フリーズ制御手段は、前記入力信号が一連のパケットから構成されるとき、前記所定単位を規定するために、順次到来するそのパケットの数をカウントするパケットカウンターを有すると共に、該パケット毎に前記エラー信号の有無を検出して、該エラー信号の数をカウントするエラーカウンターを有し、かつ、該パケットカウンターとして、前記フリーズ制御がオンであるときと、オフであるときと、にそれぞれ対応させた、オン時パケットカウンターおよびオフ時パケットカウンターとを有すると共に、該エラーカウンターとして、前記フリーズ制御がオンであるときと、オフであるときと、にそれぞれ対応させた、オン時エラーカウンターおよびオフ時エラーカウンターとを有することを特徴とする請求項２〜５のいずれか一項に記載のデジタルテレビ放送受信機。
【請求項１２】
前記エラー信号が到来しないときは、前記パケットカウンターのカウント値がある一定値を超えるまで、前記エラーカウンターのカウント値をそのまま保持することを特徴とする請求項７に記載のデジタルテレビ放送受信機。
【請求項１３】
前記エラーカウンターのカウント値がある一定値を超える前は、前記フリーズ制御の状態を保持し、前記エラーカウンターのカウント値がある一定値を超えたときに、前記フリーズ制御を実行することを特徴とする請求項７または９に記載のデジタルテレビ放送受信機。
【請求項１４】
前記フリーズ制御手段は、前記エラー信号を検出しないときは、オンになっている前記フリーズ制御をオフにすることを特徴とする請求項１〜５に記載のデジタルテレビ放送受信機。
【請求項１５】
前記フリーズ制御手段は、前記入力信号が一連のパケットから構成されるとき、前記所定単位を規定するために、順次到来するそのパケットの数をカウントするパケットカウンターを有すると共に、該パケット毎に前記エラー信号の有無を検出して、該エラー信号の数をカウントするエラーカウンターを有することを特徴とする請求項１４に記載のデジタルテレビ放送受信機。
【請求項１６】
前記パケットカウンターのカウント値がある一定値を超えても、前記エラーカウンターのカウント値がある一定値を超えないときは、オンになっている前記フリーズ制御をオフにすることを特徴とする請求項１５に記載のデジタルテレビ放送受信機。
【請求項１７】
前記パケット内に表示遅延情報が含まれているとき、その遅延時間分だけ遅延して、前記フリーズ制御を実行することを特徴とする請求項１４または１６に記載のデジタルテレビ放送受信機。
【請求項１８】
前記表示遅延情報は、ＰＴＳあるいはＤＴＳであることを特徴とする請求項１７に記載のデジタルテレビ放送受信機。
【請求項１９】
前記表示遅延情報に代えて、ある一定時間経過してから、前記フリーズ制御を実行することを特徴とする請求項１７に記載のデジタルテレビ放送受信機。
【請求項２０】
前記フリーズ制御手段は、前記デコーダ部の制御端子から出力されるエラー表示信号または該デコーダ部の内部レジスタに書き込まれるエラー表示信号を検出しないとき、オンになっている前記フリーズ制御をオフにすることを特徴とする請求項１〜５のいずれか一項に記載のデジタルテレビ放送受信機。
【請求項２１】
前記パケット内に表示遅延情報が含まれているとき、その遅延時間分だけ遅延して、前記フリーズ制御を実行することを特徴とする請求項１〜５のいずれか一項に記載のデジタルテレビ放送受信機。
【請求項２２】
前記表示遅延情報は、ＰＴＳあるいはＤＴＳであることを特徴とする請求項２１に記載のデジタルテレビ放送受信機。
【請求項２３】
前記表示遅延情報に代えて、ある一定時間経過してから、前記フリーズ制御を実行することを特徴とする請求項２１に記載のデジタルテレビ放送受信機。
【請求項２４】
前記フリーズ制御手段は、前記デコーダ部の制御端子から出力されるエラー表示信号または該デコーダ部の内部レジスタに書き込まれるエラー表示信号を検出したとき、前記フリーズ制御をオンにすることを特徴とする請求項１〜５のいずれか一項に記載のデジタルテレビ放送受信機。
【請求項２５】
前記デジタルテレビ放送受信機内の少なくとも前記フリーズ制御手段を制御するＣＰＵを備え、該フリーズ制御手段は該ＣＰＵからの制御信号に応じて、前記フリーズ制御を実行すると共に、該ＣＰＵに入力される外部からの指示信号により、該フリーズ制御手段を活性または非活性にすることを特徴とする請求項１〜５に記載のデジタルテレビ放送受信機。
【請求項２６】
前記フリーズ制御手段は、前記復調／分離処理部から前記デコーダ部への前記入力信号の供給または停止を行うことにより、前記フリーズ制御を実行することを特徴とする請求項１〜５のいずれか一項に記載のデジタルテレビ放送受信機。
【請求項２７】
前記フリーズ制御手段は、前記フリーズ制御を実行するか否かの判定基準を、前記映像信号の種類に応じて変化させることを特徴とする請求項１〜５のいずれか一項に記載のデジタルテレビ放送受信機。
【請求項２８】
前記フリーズ制御手段は、前記フリーズ制御を実行するか否かの判定基準を、前記音声信号の種類に応じて変化させることを特徴とする請求項１〜５のいずれか一項に記載のデジタルテレビ放送受信機。
【請求項２９】
前記ＣＰＵからの前記制御信号と、前記ＣＰＵへの前記指示信号との論理演算により、前記の活性または非活性を決定することを特徴とする請求項２５に記載のデジタルテレビ放送受信機。
【請求項３０】
前記フリーズ制御手段は、前記フリーズ制御を実行するか否かの判定基準を、外部からの指示に応じて設定することを特徴とする請求項１〜５のいずれか一項に記載のデジタルテレビ放送受信機。
【発明の詳細な説明】
【０００１】
【発明の属する技術分野】
本発明は、デジタルテレビ放送受信機に関し、さらに具体的には、受信状態の悪化に起因する受信再生メディアの劣化を軽減する手段を備えるデジタルテレビ放送受信機に関する。ここに、受信再生メディアとは、当該受信機により受信され再生された映像、音声ならびにデータのことを意味する。
【０００２】
【従来の技術】
デジタルテレビ放送は、アナログ放送に比べて周波数利用効率が高く、受信メディアの高品質化や多チャンネル化が可能となる。しかしその高品質化に着目すると、上記受信状態によってはその高品質化を十分に維持できない場合がある。例えば、当該受信機が、車載用のデジタルテレビ放送受信機であるような場合である。
【０００３】
車載用デジタルテレビ放送受信機（以下、単に受信機とも称す）においては、その車両の移動に伴って上記受信状態は時々刻々変化し、当該受信機により再生される映像、音声あるいはデータが劣化してしまうことがある。例えばその車両が、ビルや山などの電波遮蔽／反射物体に接近したり、その走行速度が変化したりする等の場合、放送局からの受信電波は急峻に変動したりあるいは瞬断を生じたりすることがある。
【０００４】
なお、後述する本発明の受信機に関連する公知技術としては、下記特許文献１がある。この文献では、デジタルＶＴＲの動作が再生中であって、静止機能状態である場合には、ＴＳ（トランスポートストリーム）信号を受信可能なとき、その静止機能状態の直前の画像をもって静止画とするものである。
【０００５】
【特許文献１】
特開２００１−３３９６８４号公報
【０００６】
【発明が解決しようとする課題】
上記デジタルテレビ放送受信機において、上記の受信状態が悪化した場合、特に映像および音声の劣化が突然現われることがある。この映像について見ると、例えば矩形の緑色をしたブロックノイズが複数、テレビ画面上に突然現われ、最悪は映像が全く見えなくなってしまう。また音声について見ると、突然爆音が聞こえる。
【０００７】
このような現象は、これまでのアナログ放送の場合にはあり得ないことであって、ユーザーに高品質な映像、音声ならびにデータのサービスを提供することができないばかりでなく、ユーザーに不快感さえ与える、という問題がある。
【０００８】
したがって本発明は、上記問題点に鑑み、受信状態の悪化時においても、ユーザーに不快感を与えることなく視聴可能なデジタルテレビ放送受信機を提供することを目的とするものである。
【０００９】
【課題を解決するための手段】
図１は本発明に係るデジタルテレビ放送受信機の基本構成図である。
【００１０】
本発明のデジタルテレビ放送受信機１は、基本的に、アンテナ２からのデジタルテレビ放送波を入力信号（ＩＮ）とするＲＦ／ＩＦ処理部３と、このＲＦ／ＩＦ処理部３からの出力を復調し分離する復調／分離処理部４と、この復調／分離処理部４からの出力を復号処理するデコーダ部５と、を備えるデジタルテレビ放送受信機である。
【００１１】
ここに本発明の特徴は、フリーズ（ｆｒｅｅｚｅ）制御手段６を導入した点にある。具体的には、このフリーズ制御手段６は、入力信号ＩＮにエラーが含まれるときに、復調／分離処理部４から出力されるエラー信号ＥＲまたは自ら検出したエラー信号ＥＲ′に基づいて、デコーダ部５の出力（ＯＵＴ）から送出される映像信号および音声信号あるいはデータ信号のうちの少なくとも１つの信号を静止または停止させるためのフリーズ制御を行う機能を有する。
【００１２】
このように、エラー信号ＥＲをもとにして、映像信号、音声信号あるいはデータ信号のフリーズ制御をオンにすることにより、これらの信号を早期に静止または停止させることができる。つまり、既述のブロックノイズがテレビ画面上に現れるより前に、また、既述の爆音がオーディオ部から出力されるより前に、これらを静止または停止することができ、ユーザーに不快感を与えることが防止される。
【００１３】
【発明の実施の形態】
以下、本発明に係る各種実施例を説明する。
【００１４】
図２は本発明を適用した受信機１の第１の具体構成例を示す図であり、
図３は本発明を適用した受信機１の第２の具体構成例を示す図である。なお、全図を通じて同様の構成要素には同一の参照番号または記号を付して示す。
【００１５】
まず図２を参照すると、図１のＲＦ／ＩＦ処理部３の中核部分としてＲＦ−ベースバンド処理部３１を示す。該処理部３はこの他にチューナ部やフィルタ部も含むがこれらは図示省略する。
【００１６】
次に図１の復調／分離処理部内４は、この図２の例において、ＯＦＤＭ（Orthogonal Frequency Division Multiplex ）復調処理部４１およびＴＳ（Transport Stream）−ＤＥＭＵＸ（demultiplex ）処理部４２として示している。ＯＦＤＭ復調処理部４１を用いたのは、デジタルテレビ放送としてＯＦＤＭ方式が主流となっているからであり、また、ＴＳ−ＤＥＭＵＸ処理部４２を用いたのは、そのデジタルテレビ放送信号の圧縮技術としてＭＰＥＧ（Moving Picture ExpertsGroup）−ＳＹＳＴＥＭ規格が主流となっているからである。
【００１７】
さらに図１のデコーダ部５としては、この図２の例において、ビデオ・デコーダ５１およびオーディオ・デコーダ５２を示している。これらは、ＭＰＥＧビデオ・デコーダでありまたＭＰＥＧオーディオ・デコーダである。
【００１８】
これらデコーダ５１および５２の後段には、それぞれ、表示処理回路７およびＤ／Ａコンバータ８が接続しており、ビデオ出力信号Ｓｖおよびオーディオ出力信号Ｓａがディスプレイユニット（図示せず）に送出される。
【００１９】
ここで本発明の特徴をなす図１のフリーズ制御手段６は、図２において、フリーズ制御部６１として示している。
【００２０】
受信機１全体として見ると、上記の回路部分（３１，４１，４２，５１，５２，６１）は、共通バス１２を介して、ＣＰＵ９によって統合制御される。そしてこの統合制御のために、ＲＯＭ１０やＲＡＭ１１がＣＰＵ９に協働する。
【００２１】
次に図３を参照すると、本図の構成は上記図２とほとんど同じである。相違する点は、フリーズ制御部６１が、ＴＳ−ＤＥＭＵＸ処理部４２とデコーダ５１，５２との間に配置替えされた点である。この図３の構成は、本発明のいくつかの実施例で採用される（後述）。
【００２２】
以上、受信機１全体の具体的な構成例について述べたので、以下に、本発明の特徴をなすフリーズ制御手段６（フリーズ制御部６１）について詳しく説明する。
【００２３】
〔第１の態様〕
フリーズ制御手段６の第１の態様においては、該手段６は、エラー信号ＥＲの検出後、即座にフリーズ制御をオンにする。これをフローチャートで示す。
【００２４】
図４はフリーズ制御手段６の第１の態様での動作を表すフローチャートである。
【００２５】
本図において、
ステップＳ１１：エラー信号ＥＲを検出したか否か判定する。
【００２６】
ステップＳ１２：エラー信号ＥＲを検出したならば（Ｙｅｓ）、フリーズ制御を即座にオンとする。
【００２７】
ステップＳ１３：エラー信号ＥＲを検出しなければ（Ｎｏ）、オンになっていたフリーズ制御を即座にオフとする。
【００２８】
ここでエラー信号ＥＲについて見てみると、ＯＦＤＭ復調処理部４１それ自身は既にＬＳＩとして市販されており、このＬＳＩの多数の出力ピンのうちある出力ピンから、入力信号ＩＮを構成する各パケット（トランスポートストリームＴＳ）にエラーが含まれるときに、当該エラー信号ＥＲが出力されるようになっている構成のものがある。このようなＬＳＩを利用すると、エラー信号ＥＲは容易に得られる。エラー信号ＥＲが“Ｈ”に立上がったとき、または“Ｌ”に立下がったときをもって、上記エラー信号ＥＲの検出とすればよい。
【００２９】
〔第２の態様〕
次にフリーズ制御手段６の第２の態様としては、図４のステップＳ１２（Ｓ１３も）において、そのフリーズ制御を、映像信号や音声信号などの全てのメディアに対して区別なく実行することである。これをフローチャートで示す。
【００３０】
図５はフリーズ制御手段６の第２の態様での動作を表すフローチャートである。
【００３１】
本図において、
ステップＳ２１：ステップＳ１１（図４）に同じ。
【００３２】
ステップＳ２２：フリーズ制御オン時は、画面静止と音声ミュートとを同時に実行する。
【００３３】
ステップＳ２３：画面静止および音声ミュートとなっていたのを、同時に解除する。
【００３４】
〔第３の態様〕
フリーズ制御手段の第３の態様としては、上記フリーズ制御のオン（必要ならばオフも）を、上述の第１および第２の態様のように即座には行わず、所定時間見極めてから行うようにする。エラー信号ＥＲの発生の都度、即座にフリーズ制御をオンにすると、ユーザーには、頻繁に静止／停止した映像／音声が提供され、却って不快感を覚えることになる。
【００３５】
そこでこの第３の態様では、フリーズ制御を実際にオンにするまでに、所定の時間待つことにする。具体的には、この第３の態様によるフリーズ制御手段６は、所定単位当たりエラー信号ＥＲ（ＥＲ′）の発生回数に基づいて、フリーズ制御を実行（オンまたはオフ）することを特徴とするものである。これにより、映像／音声の頻繁な静止／停止が回避され、ユーザーに対して、できる限り長く通常の映像と音声とを維持し続けることができる、という利点が得られる。その具体構成は図８に示す。
【００３６】
次に、第４、第５および第６の態様について述べると、これらの態様によると、上記第３の態様による上述の利点に加えて、さらなる利点が得られる。
【００３７】
〔第４態様〕
上記第１〜第３の態様においては、入力信号ＩＮの種別を問わずに一律にフリーズ制御を実行するようにしたが、第４の態様によるフリーズ制御手段６は、復調／分離処理部４内における復調処理後の復調信号を、映像信号、音声信号およびデータ信号に区分し、各該信号毎にそれぞれフリーズ制御を実行することを特徴とするものである。これにより、例えば映像信号のみが劣化しているのに、正常な音声信号に対してまでもフリーズ制御をオンにしてしまう、という不利が解消される。例えば、視聴しているテレビ番組が“コンサート”であるような場合、映像が劣化していればその映像のみを静止させることで、ユーザーはその音楽だけで、楽しむことができる。逆に例えば、視聴しているテレビ番組が“サッカー”であるような場合、音声が劣化していればその音声のみを停止（ミュート）させることで、そのサッカーの選手のプレーだけでも楽しむことができる。
【００３８】
図６は第４の態様におけるフリーズ制御手段６の構成例を示す図である。なおこのフリーズ制御手段６は、詳細には、図２に示すフリーズ制御部６１である。
【００３９】
ＯＦＤＭ復調処理部４１からの復調信号（トランスポートストリーム信号）は、まず、データバッファ６２に一旦格納され、その後、分離（ＤＥＭＵＸ）前処理部６３に入力される。この処理部６３では、該トランスポートストリーム（ＴＳ）信号に含まれるプログラムマップテーブル（ＰＭＴ）を元に、映像信号（ビデオ部６４）と音声信号（オーディオ部６５）とデータ信号（データ放送部６６）とに個別に分離する。なお上記のように分離（ＤＥＭＵＸ）前処理と称したのは、元々ある既存のＴＳ−ＤＥＭＵＸ処理部４２が本来行うべき処理の一部を、前もって行うからである。
【００４０】
かくして個々に分離された映像信号、音声信号およびデータ信号は、それぞれに対応するデータ解析部６７，６８および６９においてデータ解析される。このデータ解析により、フリーズ制御部６１は自らエラー信号ＥＲ′を検出する。この検出方法の一例としてはＣＲＣ（巡回冗長検査）がある。
【００４１】
ここでもしそのエラー信号ＥＲ′が検出されると、フリーズＯＮ／ＯＦＦ制御部７０は、フリーズ制御を実行する。すなわちフリーズ制御をオンにする。もしそのエラー信号ＥＲ′が検出されなくなったら、そのオンにしていたフリーズ制御をオフにする。このフリーズ制御は、デコーダ部５（図１）すなわちＴＳ−ＤＥＭＵＸ処理部４２に対して直接行っても良いし、あるいは、ＣＰＵ９および共通バス１２を介して該処理部４２へのコマンドとして行っても良い。
【００４２】
〔第５の態様〕
上記第４の態様においては、フリーズ制御部６１内に分離（ＤＥＭＵＸ）前処理部６３を導入したが、この第５の態様では、その分離前処理を本来のＴＳ−ＤＥＭＵＸ処理部４２に委ねることにする。したがってこの第５の態様でのフリーズ制御部６１は、図３（図２ではなく）のように配置されることになる。
【００４３】
結局、第５の態様でのフリーズ制御手段６は、復調／分離処理部４内における分離（ＤＥＭＵＸ）処理後の映像信号、音声信号およびデータ信号毎にそれぞれ、フリーズ制御を実行することになる。この第５の態様によれば、上記第４の態様に比べて、当然、フリーズ制御部６１の構成が簡単になる、という利点が得られる。
【００４４】
〔第６の態様〕
上記第４および第５の態様では、映像音声およびデータの各信号毎にフリーズ制御を行ったが、この第６の態様では、階層毎に区分してフリーズ制御を実行する。周知のとおり、各階層毎に種々の番組を提供することができる。
【００４５】
図７は第６の態様でのフリーズ制御手段６の構成例を示す図である。
【００４６】
このフリーズ制御手段６は、図２におけるフリーズ制御部６１に相当する。この図７において、上記図６と同様の構成要素には同一の参照番号を付して示す。
【００４７】
したがって図７で新しく示すのは、エラーカウント部７２，７３および７４と、Ａ階層部７５、Ｂ階層部７６およびＣ階層部７７と、カウンター７８である。カウンター７８は、各階層毎の、パケット数をカウントする。すなわち、Ａ階層が何パケット入力されたか、Ｂ階層が何パケット入力されたかを個々にみていく。
【００４８】
エラーカウント部７２，７３および７４は、それぞれ、ＯＦＤＭ復調部４１から階層毎（Ａ，ＢおよびＣ）に出力されるエラー信号を入力として、それぞれのエラーカウントを行う。
【００４９】
なお、Ａ，Ｂ，Ｃの各階層部７５〜７７は、元々ＴＳ−ＤＥＭＵＸ処理部４２に内蔵されているものである。
【００５０】
結局、第６の態様でのフリーズ制御手段６は、入力信号ＩＮが複数の階層を含むとき、復調／分離処理部４内における復調処理後の信号を、各該階層毎に区分してそれぞれに対してフリーズ制御を実行することになる。
【００５１】
〔実施例１〕
前述した第３の態様によると、フリーズ制御手段６は、所定単位当たりのエラー信号ＥＲ（ＥＲ′）の発生回数に基づいて、フリーズ制御を実行（オンまたはオフ）する。
【００５２】
これを実現するために、実施例１によるフリーズ制御手段６（６１）は、入力信号ＩＮが一連のパケットから構成されるとき、上記の所定単位を規定するために、順次到来するそのパケットの数をカウントするパケットカウンター（８０）を有する。
【００５３】
またそのフリーズ制御手段６（６１）は、パケット毎にエラー信号ＥＲの有無を検出して、このエラー信号ＥＲの数をカウントするエラーカウンター（８１）を有する。
【００５４】
図８は本発明による実施例１の構成を示す図である。
【００５５】
ＯＦＤＭ復調処理部４１（図２）からの復調信号はパケットカウンター８０に入力され、該処理部４１からのエラー信号ＥＲはエラーカウンター８１に入力される。
【００５６】
パケットカウンター８０は、各パケットの最初を示すＯＦＤＭ復調処理部４１からの信号線、例えばＴＳ・ＳＹＮＣラインに接続するようにしても良いし、あるいは１パケット（例えば２０４バイトからなる）のヘッダーを示すコード（例えば０ｘ４７）を検出するようにしても良い。
【００５７】
一方、エラーカウンター８１は、エラー信号ＥＲの立ち上がり（または立ち下がり）等を検出して、エラーカウント値をカウントアップする。
【００５８】
かくして、例えば１０パケット毎に該エラーカウント値を見て、このエラーカウント値が例えば２を超えたら初めてフリーズ制御をオンにする。
【００５９】
〔実施例２〕
上記実施例１（図８）によると、フリーズ制御がオフからオンに変わる時間もフリーズ制御がオンからオフに変わる時間も全く同じである。
【００６０】
そうすると、受信状態は悪化しつつも、きれいな映像や音声をなるべく長くユーザーに提供したいといった制御や、受信状態が良好になったら即座にきれいな映像や音声をユーザーに提供したいといったきめ細かい制御ができない。
【００６１】
そこでそのようなきめ細かい制御を実現するのが実施例２である。
【００６２】
すなわち実施例２によるフリーズ制御手段６（６１）は、上記のパケットカウンター８０として、フリーズ制御がオンであるときと、オフであるときと、にそれぞれ対応させた、オン時パケットカウンター（８３）およびオフ時パケットカウンター（８４）とを設ける。
【００６３】
また実施例２によるフリーズ制御手段６（６１）は、上記のエラーカウンター８１として、フリーズ制御がオンであるときと、オフであるときと、にそれぞれ対応させた、オン時エラーカウンター（８５）およびオフ時エラーカウンター（８６）とを設ける。これらを図９に示す。
【００６４】
図９は本発明による実施例２の構成を示す図である。
【００６５】
本図に、上述のオン時／オフ時パケットカウンター８３および８４が示され、また上述のオン時／オフ時エラーカウンター８５および８６が示される。７０は、図６と図７に示すフリーズＯＮ／ＯＦＦ制御部である。この制御部７０が、オン状態にあるかオフ状態にあるか、に応じて図中のスイッチ８７および８８の各接点をそれぞれ上下に切り替える。
【００６６】
上述したオン時／オフ時パケットカウンター（８３，８４）およびオン時／オフ時エラーカウンター（８５，８６）の各カウント値を用いたフリーズ制御動作についてさらに具体的に説明する。ただし、これらオン時／オフ時のパケットカウンターおよびオン時／オフ時のエラーカウンターの４カウンター全てに着目すると説明が煩雑になってしまうので、それぞれパケットカウンター８０とエラーカウンター８１の２カウンターに代表して以下の説明を行う。
【００６７】
〔実施例３〕
図１０は本発明による実施例３の構成を示す図である。
【００６８】
本図において新たな構成要素は、パケットカウンターセット値保持部９０である。該保持部９０に予め保持されたセット値とパケットカウンター８０のカウント値とを比較し、その比較結果により、カウンター８０および８１のカウント値をクリアーする。
【００６９】
図１１は本発明による実施例３（図１０）の動作を示すフローチャートである。
【００７０】
パケットカウンター８０は、そのカウント値がある一定値（パケットカウンターセット値）を超えたときに（ステップＳ３１のＹｅｓ）、カウンターのクリアを行い（Ｓ３２）、次に到来するパケットのカウントを新たに開始する。
【００７１】
また、パケットカウンター８０のカウント値が上記のある一定値を超えたときに（Ｓ３１のＹｅｓ）、エラーカウンター８１のクリアを行い（Ｓ３２）、次に到来するエラー信号ＥＲにより、エラーカウンター８１のカウントを新たに開始する。
【００７２】
なおステップＳ３１の判断がＮｏであれば、カウンターのクリアーは行わず、現在のカウント値をそのまま維持する（Ｓ３３）。
【００７３】
例えば、連続１０パケットまで、検出したエラー信号ＥＲは２未満であるという状況ならば、どちらのカウンター（８０，８１）も初期状態に戻す。
【００７４】
〔実施例４〕
図１２は本発明による実施例４の構成を示す図である。
【００７５】
本図において、新たな構成要素はエラーカウンターセット値保持部９１である。該保持部９１に予め保持されたセット値とエラーカウンター８１のカウント値とを比較し、その比較結果により、カウンター８０および８１のカウント値をクリアーする。
【００７６】
図１３は本発明による実施例３（図１２）の動作を示すフローチャートである。
【００７７】
エラーカウンター８１のカウント値がある一定値（エラーカウンターセット値）を超えたときに（ステップＳ４１のＹｅｓ）、パケットカウンター８０のクリアを行い（Ｓ４２）、次に到来するパケットにより、パケットカウンター８０のカウントを新たに開始する。
【００７８】
また、エラーカウンター８１のカウント値が上記のある一定値を超えたときに（Ｓ４１のＹｅｓ）、エラーカウンター８１のクリアを行い（Ｓ４２）、次に到来するエラー信号ＥＲにより、エラーカウンター８１のカウントを新たに開始する。
【００７９】
なお、ステップＳ４３は、上記図１１のステップＳ３３と同様である。
【００８０】
例えばパケットカウンター８０のパケットカウンターセット値が２０で、エラーカウンター８１のエラーカウンターセット値が１０であるものとする。この場合、エラーカウンター８１の方がパケットカウンター８０よりも先にそのセット値（１０）に達してしまったとすると、パケットカウンター８０のカウント値は最早それ以上カウントアップする意味がなくなるので、その時点でパケットカウンター８０を即座にクリアーしてしまう。
【００８１】
本実施例４において、エラー信号ＥＲを検出したときの動作を説明する。
【００８２】
図１４は実施例４におけるエラー信号検出時の動作を示すフローチャートである。
【００８３】
本図において、ステップＳ５１は既述のＳ４１と同じである。
【００８４】
このステップＳ５１の判断がＹｅｓであれば、エラーカウント値がセット値を超えてしまったのでこれを再び０に戻す（Ｓ５５のクリアー）。
【００８５】
一方、ステップＳ５１の判断がＮｏであるときは、エラー信号ＥＲの有無を検出する（Ｓ５２）。ここで「エラー信号検出」とは、既述のように、エラー信号の立ち上がり（または立ち下がり）を検出することを意味する。
【００８６】
そのエラー信号が検出されたならば（ステップＳ５２のＹｅｓ）、エラーカウンター８１におけるカウント値をさらに＋１する（Ｓ５３）。
【００８７】
一方、そのエラー信号が検出されないならば、エラーカウンター８１におけるカウント値を現状のまま保持する（Ｓ５４）。すなわち、エラー信号が到来しないときは、パケットカウンターのカウント値がある一定値を超えるまで、エラーカウンターのカウント値をそのまま保持する。
【００８８】
結局、エラーカウンター８１のカウント値がある一定値を超える前は、フリーズ制御の状態を保持し、エラーカウンター８１のカウント値がある一定値を超えたときに、フリーズ制御を実行する。この様子を図に示すと、図１５および図１６のようになる。
【００８９】
図１５は図１２にフリーズＯＮ／ＯＦＦ制御部７０を組み入れた構成を示す図であり、
図１６は図１５の構成における動作を示すフローチャートである。
【００９０】
まず図１５を参照すると、エラーカウンター８１の出力を受けるフリーズＯＮ／ＯＦＦ制御部７０（図６、図７、図９参照）が設けられ、該制御部７０により、デコーダ側またはＣＰＵ９側にフリーズ制御のオン／オフコマンドが与えられる。
【００９１】
図１６を参照すると、ステップＳ６１は既述のＳ４１と同じであり、その判断がＹｅｓのときは、フリーズ制御オンとなる。逆にその判断がＮｏのときは、フリーズ制御状態（オンもしくはオフ）をそのまま保持する。
【００９２】
次に、オンになっていたフリーズ制御をオフにする場合について説明する。すなわち「フリーズ制御解除」である。
【００９３】
基本的には、フリーズ制御手段６は、エラー信号ＥＲ（ＥＲ′）を検出しないときは、オンになっているフリーズ制御をオフにする。
【００９４】
この場合、フリーズ制御手段６は、オンになっている上記のフリーズ制御を即座にオフにすることができる。この様子は、前述した図４におけるステップＳ１１→Ｓ１３に相当し、即座にフリーズ制御オフに移行する。
【００９５】
〔実施例５〕
フリーズ制御を解除する場合においても、フリーズ制御手段６は、既述した所定単位を規定するために、順次到来するそのパケットの数をカウントするパケットカウンター８０を有すると共に、そのパケット毎にエラー信号ＥＲ（ＥＲ′）の有無を検出して、そのエラー信号の数をカウントするエラーカウンター８１を有する。
【００９６】
図１７は本発明による実施例５の構成を示す図である。
【００９７】
図１８は本発明による実施例５（図１７）の動作を示すフローチャートである。
【００９８】
図１８を参照すると、パケットカウンター８０のカウント値がある一定値（パケットカウンターセット値）以上になっていて（ステップＳ７１のＹｅｓ）、しかもエラーカウンター８１のカウント値がある一定値（エラーカウンターセット値）以上になったならば、既述のようにフリーズ制御をオンとする（Ｓ７３）。
【００９９】
一方、パケットカウンター８０のカウント値が上記のある一定値以上になっていながら（ステップＳ７１のＹｅｓ）、エラーカウンター８１のカウント値の方は上記のある一定値未満ならば、フリーズ制御はオフとする（Ｓ７４）。
【０１００】
すなわちフリーズ制御の解除については、パケットカウンター８０のカウント値がある一定値を超えても、エラーカウンター８１のカウント値がある一定値を超えないときには、オンになっているフリーズ制御をオフにする。
【０１０１】
〔実施例６〕
実施例６は、パケット内に表示遅延情報が含まれているとき、その遅延時間分だけ遅延して、フリーズ制御を実行することを特徴とするものである。
【０１０２】
具体的には上記の表示遅延情報は、ＰＴＳあるいはＤＴＳである。
【０１０３】
例えばＭＰＥＧ−ＳＹＳＴＥＭ規格によれば、トランスポートストリームＴＳ内にＰＴＳやＤＴＳが定義されている。ＰＴＳはＰｒｅｓｅｎｔａｔｉｏｎ  Ｔｉｍｅ  Ｓｔａｍｐ、いわゆる再生出力時刻管理情報であり、ＤＳＴはＤｅｃｏｄｅ  Ｔｉｍｅ  Ｓｔａｍｐ、いわゆる復号時刻管理情報である。これらＰＴＳやＤＴＳは、映像信号の表示を所定時間遅延すべきことを受信機に対して指示する表示遅延情報である。
【０１０４】
このような表示遅延情報を考慮すると、フリーズ制御を実行する際（オン→オフまたはオフ→オン）、そのオン／オフ切り替えタイミングを遅らせた方が好ましい。このことをタイムチャートを用いて説明する。
【０１０５】
図１９は実施例６におけるフリーズ制御オン／オフのタイミングを示す図であり、
図２０は本発明による実施例６の構成を示す図である。
【０１０６】
まず図１９を参照すると、１）は受信機１内の基本クロックＣＬＫであり、これをベースにタイミング制御が行われる。
【０１０７】
２）はフリーズ制御のオンからオフへの切り替わりタイミングを示し、５）はその逆の切り替わりタイミングを示す。
【０１０８】
ここで注目すべき点は、２）において、オン→オフの切り替わりタイミングが、本来ならば図中のａのタイミングで発生していることである。また５）においても、本来ならば図中のｂのタイミングで、オフ→オンの切り替わりが発生していることである。
【０１０９】
しかし実施例６では、それら本来のオン→オフおよびオフ→オンの切り替えを、４）に示すＰＴＳ／ＤＴＳ遅延時間分だけ意図的に遅らせる。
【０１１０】
このようにした効果は同図中の３）と６）に表されている。まず３）に注目すると、ユーザーに対して、本来ならば、ａの時点から汚ない画面（ハッチング）が提供されていたところ、実施例６によればａ′以降のきれいな画面のみを提供できることになる。
【０１１１】
次に６）に着目すると、表示遅延があるため、本来ならｂの時点では汚ないのがユーザーにはきれいにみえる。よって、表示遅延を利用して、長時間（ｂ′の時点まで）、きれいな映像を提供し続けることができる。
【０１１２】
次に図２０を参照すると、分離（ＤＥＭＵＸ）前処理部９３において、トランスポートストリームＴＳ内から上記のＰＴＳやＤＳＴを抽出し、その遅延時間分だけ、フリーズＯＮ／ＯＦＦ制御部７０内での切り替えタイミング制御を遅らせる。
【０１１３】
〔実施例７〕
上記実施例６での表示遅延情報（ＰＴＳ／ＤＴＳ）に代えて、ある一定時間経過してから、フリーズ制御を実行するようにしたのが、この実施例７である。
【０１１４】
図２１は実施例６での図１９に相当する。４）において「ＰＴＳ／ＤＴＤ遅延時間」を「一定時間」に変更しただけである。
【０１１５】
また実施例７の構成も実施例６の場合（図２０）とほとんど変わらない。ただし実施例７では、図２０中のＰＴＳ／ＤＴＳに代えて、フリーズＯＮ／ＯＦＦ制御部７０内に上記一定時間を設定するためのソフトタイマー（あるいはハードタイマー）を設ける必要がある。
【０１１６】
上記実施例６および７は、フリーズ制御を即座に行う態様以外の全ての態様に適用できる。
【０１１７】
〔実施例８〕
以上の説明では、図１〜図３において、（ｉ）エラー信号はＯＦＤＭ復調処理部４から出力されるもの（ＥＲ）、（ii）エラー信号はフリーズ制御手段６自らが検出するもの（ＥＲ′）としてきたが、そのエラー信号としてさらに（iii ）デコーダ部５が出力するもの（ＥＲ″）もある。本実施例８はその（iii ）に相当する。
【０１１８】
すなわち、実施例８のフリーズ制御手段６（６１）は、デコーダ部５（５１，５２）の制御端子から出力されるエラー表示信号ＥＲ″１またはこのデコーダ部５（５１，５２）の内部レジスタに書き込まれるエラー表示信号ＥＲ″２を検出しないとき、オンになっているフリーズ制御をオフにするものである。
【０１１９】
同様にフリーズ制御手段６（６１）は、デコーダ部（５１，５２）の制御端子から出力されるエラー表示信号ＥＲ″２またはこのデコーダ部５（５１，５２）の内部レジスタに書き込まれるエラー表示信号を検出したとき、フリーズ制御をオンにするものである。
【０１２０】
図２２は実施例８における第１の形態の動作を示すフローチャートであり、
図２３は実施例８における第２の形態の動作を示すフローチャートである。
【０１２１】
まず図２２を参照すると、デコーダ５１，５２からの既存のエラー信号ＥＲ″１が「エラー表示あり」の状態か否か、例えばＣＰＵ９が判断し「あり」ならば（ステップＳ８１のＹｅｓ）、フリーズ制御をオンにし（Ｓ８２）、「なし」ならば（Ｓ８１のＮｏ）、オンになっていたフリーズ制御をオフにする。
【０１２２】
次に図２３を参照すると、デコーダ５１，５２の内部にある既存のエラー表示レジスタに例えばＣＰＵ９がアクセスし（ステップＳ９１）、そのエラー表示レジスタ内のレジスタ値が、「エラーあり」を示す値（ＥＲ″２）か否か例えばＣＰＵ９が判断し「エラーあり」ならば（Ｓ９２のＹｅｓ）、フリーズ制御をオンにし（Ｓ９３）、「エラーなし」ならば（Ｓ９２のＮｏ）、オンになっていたフリーズ制御をオフにする。
【０１２３】
〔実施例９〕
図２や図３に示すように、デジタルテレビ放送受信機１内には、少なくともフリーズ制御手段６を制御することのできるＣＰＵ９を備えている。フリーズ制御手段６はこのＣＰＵ９からの制御信号に応じて、フリーズ制御を実行することができる。これが実施例９である。
【０１２４】
この場合、ＣＰＵ９から直接フリーズ制御のオン／オフを指示すコマンドを出力することもできるし（第１の形態）、
ＣＰＵ９によるフリーズ制御のオン／オフが必要か否かのフリーズ制御判定情報を、ＣＰＵ９内に設けたフリーズ制御レジスタまたはフリーズ制御手段６内に設けたフリーズ制御レジスタに書き込み、これをフリーズ制御手段６が自ら読みに行くこともできる（第２の形態）。
【０１２５】
図２４はその第１の形態の動作を示すフローチャートであり、
図２５はその第２の形態の動作を示すフローチャートである。
【０１２６】
まず図２４を参照すると、ＣＰＵ９からの制御信号（フリーズオン／オフ・コマンド）は、フリーズオンを示しているか否かフリーズ制御手段６（６１）が判断し「オン」ならば（Ｓ１０１のＹｅｓ）、フリーズ制御をオンにし（Ｓ１０２）、「オフ」ならば（Ｓ１０１のＮｏ）、これをオフにする（Ｓ１０３）。
【０１２７】
次に図２５を参照すると、ＣＰＵ９内のフリーズ制御レジスタまたはフリーズ制御手段６（６１）内のフリーズ制御レジスタにアクセスし、そこに書き込まれた上記フリーズ制御判定情報を読み取り、その判定に従って、フリーズ制御をオンにし（Ｓ１１３）、またはオフにする（Ｓ１１４）。
【０１２８】
〔実施例１０〕
実施例１０におけるフリーズ制御手段６（６１）は、復調／分離処理部４（４１，４２）からデコーダ部５（５１，５２）への入力信号ＩＮの供給または停止を行うことにより、フリーズ制御を実行するものである。
【０１２９】
図２６、図２７および図２８は、実施例１０の第１、第２および第３の形態をそれぞれ示す。
【０１３０】
まず図２６を参照すると、前述のデータバッファ６２に格納された復調信号を、フリーズＯＮ／ＯＦＦ制御部７０の出力によって、出力制御部９４を介し、デコーダ部５へ送出または非送出とする。
【０１３１】
図２７を参照すると、前出の分離（ＤＥＭＵＸ）前処理部６３において、復調信号を前出のＴＳ−ＤＥＭＵＸ処理部４２へ、フリーズＯＮ／ＯＦＦ制御部７０を介し、送出しまたは非送出とする。この場合、ビデオ・デコーダおよびオーディオ・デコーダに対して個別に送出または非送出とすることができる。
【０１３２】
図２８を参照すると、この第３の形態は、第１の形態（図２６）と第２の形態（図２７）とを組み合わせたものに相当する。
【０１３３】
図２９および図３０は、上記第２の形態（図２７）および上記第３の形態（図２８）をさらに具体的に示す図である。
【０１３４】
〔実施例１１〕
実施例１１によるフリーズ制御手段６（６１）は、フリーズ制御を実行するか否かの判定基準を、映像信号の種類に応じて変化させるものである。
【０１３５】
またフリーズ制御手段６（６１）は、フリーズ制御を実行するか否かの判定基準を、音声信号の種類に応じて変化させるものである。
【０１３６】
さらに映像信号の種類と音声信号の種類に応じて、上記の各判定基準を同時に変化させても良い。
【０１３７】
上記の映像および音声の種類を判断するには、トランスポートストリームＴＳの中にある映像・音声種類判別データを用いて（例えば、ＰＳＩ（program Specific Information/SI (Service Information ）等）判断する。パケットカウンターセット値および、エラーカウンターセット値は、フリーズ制御部６１内で保持する他、ＣＰＵからセット値を送るという方法等がある。映像の種類とは、静止画、動きの遅い動画、動きの速い動画等である。もし、ＴＳの映像・音声種類判別データが、野球、ニュース、レース等のジャンルならば、どの映像種類として区別するか、予め決定しておく必要がある。
【０１３８】
例えば、ニュースならば多少画面が乱れても構わないが、レースならばなるべく早目にフリーズ制御をオン／オフした方が良いことに着目したものである。
【０１３９】
またフリーズ制御手段６（６１）は、フリーズ制御を実行するか否かの判定基準を、外部（ユーザー）からの指示に応じて設定することもできる。
【０１４０】
図３１は実施例１１においてユーザーからの指示を行う一例を示す図である。
【０１４１】
本図中のＭはディスプレイ上のマーカーである。
【０１４２】
フリーズ制御をちょっとの画像乱れに対しても行う（早く行う。感度大）、あるいは少々の画像乱れに対しては行なわない（遅く行う。感度小）といった、フリーズ制御のレベル調整をユーザーができるよう、ＧＵＩにて実現する。フリーズ制御レベルの調整には、パケットカウンターセット値、エラーカウンターセット値を、上記の判定基準として、使用する。例えば、同じエラー数なら、パケットカウンターセット値が小さければ、感度大に、パケットカウンターセット値が大きければ、感度小になる。一方、同じパケットカウンターセット値なら、エラーカウンターセット値が小さければ、感度大に、エラーカウンターセット値が大きければ、感度小になる。
【０１４３】
なお、ＧＵＩに応じたパケットカウンターセット値および、エラーカウンターセット値は、フリーズ制御部６１内で保持する他、ＣＰＵ９から上記のセット値を送るという方法等がある。
【０１４４】
さらにまた、ユーザーは好みに応じてフリーズ制御をするか／しないか（自然のまま）を選択できるようにしても良い。
【０１４５】
図３２はそのための他の一例を示す図である。本図の例では、フリーズ制御を行うべきことが指示されている。
【０１４６】
〔実施例１２〕
実施例１２の第１の形態においては、ＣＰＵ９に入力される外部からの指示信号により、フリーズ制御手段を活性または非活性にする。
【０１４７】
図３３はこの第１の形態の一例を示す図である。
【０１４８】
この第１の形態では、ＣＰＵ９の内部のレジスタに、「フリーズ制御をしない」と書き込まれているときは、フリーズ制御部６１は、パケットカウンター８０とエラーカウンター８１のカウント動作を停止する。
【０１４９】
実施例１２の第２の形態においては、フリーズＯＮ／ＯＦＦ制御部からの出力と、ＣＰＵ９への上記指示信号との論理演算により、フリーズ制御をオンあるいはオフにする。
【０１５０】
図３４の（ａ）はこの第２の形態の一例を示し、（ｂ）はその要部のタイミングチャートを示す図である。
【０１５１】
上記の論理演算は、論理演算部９５において行われる。フリーズＯＮ／ＯＦＦ制御部７０が「フリーズＯＮ」であっても（１）、外部フリーズ制御状態Ｒが「制御ＯＦＦ」ならば（２）、論理演算部９５の出力は“Ｌ”となる（３）。一方、制御部７０が「フリーズＯＦＦ」のときは（１）、制御状態Ｒが「制御ＯＮ」になっても（２）、演算部９５の出力は“Ｌ”のままである（３）。
【０１５２】
【発明の効果】
以上詳しく説明したように、本発明によれば、デジタルテレビ放送受信機において、受信状態の悪化に伴って、突然画面が見えなくなるとか、突然爆音が聞こえる、といった状況をなるべくユーザーに与えないようにして、快く高品質のメディアをサービスすることができる。
【図面の簡単な説明】
【図１】本発明に係るデジタルテレビ放送受信機の基本構成図である。
【図２】本発明を適用した受信機１の第１の具体構成例を示す図である。
【図３】本発明を適用した受信機１の第２の具体構成例を示す図である。
【図４】フリーズ制御手段６の第１の態様での動作を示すタイムチャートである。
【図５】フリーズ制御手段６の第２の態様での動作を示すタイムチャートである。
【図６】第４の態様でのフリーズ制御手段６の構成例を示す図である。
【図７】第６の態様でのフリーズ制御手段６の構成例を示す図である。
【図８】本発明による実施例１の構成を示す図である。
【図９】本発明による実施例２の構成を示す図である。
【図１０】本発明による実施例３の構成を示す図である。
【図１１】本発明による実施例３の動作を示すフローチャートである。
【図１２】本発明による実施例４の構成を示す図である。
【図１３】本発明による実施例４の動作を示すフローチャートである。
【図１４】実施例４におけるエラー信号検出時の動作を示すフローチャートである。
【図１５】図１２にフリーズＯＮ／ＯＦＦ制御部７０を組み入れた構成を示す図である。
【図１６】図１５の構成における動作を示すフローチャートである。
【図１７】本発明による実施例５の構成を示す図である。
【図１８】本発明による実施例５の動作を示すフローチャートである。
【図１９】実施例６におけるフリーズオン／オフのタイミングを示す図である。
【図２０】本発明による実施例５の構成を示す図である。
【図２１】本発明による実施例７におけるフリーズオン／オフのタイミングを示す図である。
【図２２】本発明による実施例８における第１の形態の動作を示すフローチャートである。
【図２３】本発明による実施例８における第２の形態の動作を示すフローチャートである。
【図２４】本発明による実施例９における第１の形態の動作を示すフローチャートである。
【図２５】本発明による実施例９における第２の形態の動作を示すフローチャートである。
【図２６】本発明による実施例１０における第１の形態を示す図である。
【図２７】本発明による実施例１０における第２の形態を示す図である。
【図２８】本発明による実施例１０における第３の形態を示す図である。
【図２９】第２の形態（図２７）をさらに具体的に示す図である。
【図３０】第３の形態（図２８）をさらに具体的に示す図である。
【図３１】本発明による実施例１１におけるユーザー指示の一例を示す図である。
【図３２】本発明による実施例１１におけるユーザー指示の他の一例を示す図である。
【図３３】本発明による実施例１２における第１の形態を示す図である。
【図３４】（ａ）は本発明による実施例１２における第２の形態を示し、（ｂ）はその要部のタイミングチャートを示す図である。
【符号の説明】
１…デジタルテレビ放送受信機
２…アンテナ
３…ＲＦ／ＩＦ処理部
４…復調／分離処理部
５…デコーダ部
６…フリーズ制御部
９…ＣＰＵ
３１…ＲＦ−ベースバンド処理部
４１…ＯＦＤＭ復調処理部
４２…ＴＳ−ＤＥＭＵＸ処理部
５１…ビデオ・デコーダ
５２…オーディオ・デコーダ
６１…フリーズ制御部
７０…フリーズＯＮ／ＯＦＦ制御部
８０…パケットカウンター
８１…エラーカウンター
８３…オン時パケットカウンター
８４…オフ時パケットカウンター
８５…オン時エラーカウンター
８６…オフ時エラーカウンター
９０…パケットカウンターセット値保持部
９１…エラーカウンターセット値保持部
９５…論理演算部
【図１】
2004208066.tif 000003
【図２】
2004208066.tif 000004
【図３】
2004208066.tif 000005
【図４】
2004208066.tif 000006
【図５】
2004208066.tif 000007
【図６】
2004208066.tif 000008
【図７】
2004208066.tif 000009
【図８】
2004208066.tif 000010
【図９】
2004208066.tif 000011
【図１０】
2004208066.tif 000012
【図１１】
2004208066.tif 000013
【図１２】
2004208066.tif 000014
【図１３】
2004208066.tif 000015
【図１４】
2004208066.tif 000016
【図１５】
2004208066.tif 000017
【図１６】
2004208066.tif 000018
【図１７】
2004208066.tif 000019
【図１８】
2004208066.tif 000020
【図１９】
2004208066.tif 000021
【図２０】
2004208066.tif 000022
【図２１】
2004208066.tif 000023
【図２２】
2004208066.tif 000024
【図２３】
2004208066.tif 000025
【図２４】
2004208066.tif 000026
【図２５】
2004208066.tif 000027
【図２６】
2004208066.tif 000028
【図２７】
2004208066.tif 000029
【図２８】
2004208066.tif 000030
【図２９】
2004208066.tif 000031
【図３０】
2004208066.tif 000032
【図３１】
2004208066.tif 000033
【図３２】
2004208066.tif 000034
【図３３】
2004208066.tif 000035
【図３４】
2004208066.tif 000036